(57)【要約】  空気調和機のインバータ制御装置（２０）は、インバータ回路（２２）によって得られた交流電流の電流値を低下させるトランス（２３）と、トランス（２３）によって得られた交流電流を交流電圧に変換する電圧抵抗変換回路（２４）と、電圧抵抗変換回路（２４）によって得られた交流電圧の電圧値が設定電圧値より大きい場合に指令信号を出力するコンパレータ（２５）と、制御部（２６）とを有する。制御部（２６）は、電圧抵抗変換回路（２４）に含まれる可変抵抗の抵抗値を決定するための制御信号を電圧抵抗変換回路（２４）に出力する。当該抵抗値は、制御部（２６）が電圧抵抗変換回路（２４）に出力した制御信号によって決定される。電圧抵抗変換回路（２４）は、制御信号によって決定された抵抗値をもとにトランス（２３）によって得られた交流電流を交流電圧に変換する。
2019167159.tif 000002
【特許請求の範囲】
【請求項１】
コンバータ回路によって得られた直流電流を交流電流に変換すると共に、変換によって得られた交流電流を、圧縮機を駆動させる圧縮機モータに供給するインバータ回路と、
前記インバータ回路によって得られた交流電流の電流値を低下させるトランスと、
可変抵抗を含むと共に前記トランスによって得られた交流電流を交流電圧に変換する電圧抵抗変換回路と、
前記電圧抵抗変換回路によって得られた交流電圧の電圧値が設定電圧値より大きい場合に指令信号を出力するコンパレータと、
前記コンパレータが出力する前記指令信号を受け取る機能を有する制御部と、
前記インバータ回路の動作を停止させるための停止信号を受け取った場合に前記インバータ回路の動作を停止させる駆動回路とを備え、
前記制御部は、前記電圧抵抗変換回路に含まれる前記可変抵抗の抵抗値を決定するための制御信号を前記電圧抵抗変換回路に出力し、
前記電圧抵抗変換回路に含まれる前記可変抵抗の抵抗値は、前記制御部が前記電圧抵抗変換回路に出力した前記制御信号によって決定され、
前記電圧抵抗変換回路は、前記制御信号によって決定された抵抗値をもとに前記トランスによって得られた交流電流を交流電圧に変換し、
前記制御部は、前記コンパレータが出力した前記指令信号を受け取った場合に前記停止信号を前記駆動回路に出力する
空気調和機のインバータ制御装置。
【請求項２】
請求項１に記載の空気調和機のインバータ制御装置と、
前記電圧抵抗変換回路に含まれる前記可変抵抗の抵抗値を決定するための制御情報を前記空気調和機のインバータ制御装置に出力する上位制御装置とを備え、
前記上位制御装置は、
ユーザが前記可変抵抗の抵抗値を決定するための特定情報を前記上位制御装置に入力するための入力部と、
前記入力部が用いられて入力された前記特定情報をもとに前記可変抵抗の抵抗値を決定するための前記制御情報を前記制御部に出力する出力部とを有し、
前記制御部は、前記出力部が出力した前記制御情報に対応する前記制御信号を前記電圧抵抗変換回路に出力する
空気調和機のインバータ制御システム。
【発明の詳細な説明】
【技術分野】
【０００１】
本発明は、空気調和機が有する圧縮機を制御するための、空気調和機のインバータ制御装置及び空気調和機のインバータ制御システムに関する。
【背景技術】
【０００２】
室内機と室外機とを有する空気調和機において、室外機は、冷媒を圧縮する圧縮機の動作を制御する室外制御装置を有する。室外制御装置は、圧縮機を駆動する圧縮機モータに供給される電流が適切であるか否かを判断するコンパレータを有する。コンパレータには、圧縮機モータに印加される電流に対応する電圧と、設定された電圧とが供給される。コンパレータは、供給された二つの電圧を比較して、圧縮機モータに供給される電流が適切であるか否かを判断する。【０００３】
室外制御装置は、圧縮機モータに供給される電流を電圧に変換するための抵抗を含む基板を有する。圧縮機モータに供給される適切な電流は、圧縮機の種類によって異なる。そのため、従来、圧縮機の種類に対応する抵抗が基板に搭載される。従来、交流電源の電流を電流検出回路で検出し、実装されている複数の抵抗のうちの電流検出回路で検出された電流に対応したひとつの抵抗を用いて電流電圧変換を行う技術も提案されている（例えば、特許文献１参照）。
【先行技術文献】
【特許文献】
【０００４】
【特許文献１】特開平１０−０５２０５０号公報
【発明の概要】
【発明が解決しようとする課題】
【０００５】
圧縮機の種類に対応する抵抗を基板に搭載する方法には、圧縮機の種類に対応していない抵抗を基板に搭載する可能性が生じるという問題がある。特許文献１で開示されている技術は、複数の抵抗を実装する必要があるので、比較的大きな基板を必要とする。複数の抵抗を必要とすることなく、圧縮機の種類に対応する電流電圧変換を実現する、空気調和機のインバータ制御装置が提供されることが要求されている。【０００６】
本発明は、上記に鑑みてなされたものであって、複数の抵抗を必要とすることなく、圧縮機の種類に対応する電流電圧変換を実現する、空気調和機のインバータ制御装置を得ることを目的とする。
【課題を解決するための手段】
【０００７】
上述した課題を解決し、目的を達成するために、本発明に係る空気調和機のインバータ制御装置は、コンバータ回路によって得られた直流電流を交流電流に変換すると共に、変換によって得られた交流電流を、圧縮機を駆動させる圧縮機モータに供給するインバータ回路と、前記インバータ回路によって得られた交流電流の電流値を低下させるトランスと、可変抵抗を含むと共に前記トランスによって得られた交流電流を交流電圧に変換する電圧抵抗変換回路とを有する。本発明に係る空気調和機のインバータ制御装置は、前記電圧抵抗変換回路によって得られた交流電圧の電圧値が設定電圧値より大きい場合に指令信号を出力するコンパレータと、前記コンパレータが出力する前記指令信号を受け取る機能を有する制御部と、前記インバータ回路の動作を停止させるための停止信号を受け取った場合に前記インバータ回路の動作を停止させる駆動回路とを更に有する。前記制御部は、前記電圧抵抗変換回路に含まれる前記可変抵抗の抵抗値を決定するための制御信号を前記電圧抵抗変換回路に出力する。前記電圧抵抗変換回路に含まれる前記可変抵抗の抵抗値は、前記制御部が前記電圧抵抗変換回路に出力した前記制御信号によって決定される。前記電圧抵抗変換回路は、前記制御信号によって決定された抵抗値をもとに前記トランスによって得られた交流電流を交流電圧に変換する。前記制御部は、前記コンパレータが出力した前記指令信号を受け取った場合に前記停止信号を前記駆動回路に出力する。
【発明の効果】
【０００８】
本発明に係る空気調和機のインバータ制御装置は、複数の抵抗を必要とすることなく、圧縮機の種類に対応する電流電圧変換を実現することができるという効果を奏する。
【図面の簡単な説明】
【０００９】
【図１】実施の形態１に係る空気調和機の構成を示す図
【図２】実施の形態１に係る空気調和機のインバータ制御装置の構成を示す図
【図３】実施の形態２に係る空気調和機のインバータ制御システムの構成を示す図
【図４】実施の形態２に係る空気調和機のインバータ制御システムの動作の手順の一例を示すフローチャート
【図５】実施の形態２に係る空気調和機のインバータ制御システムにおける電圧抵抗変換回路が有する可変抵抗の抵抗値の決定方法を説明するための図
【図６】実施の形態１に係る空気調和機のインバータ制御装置が有する制御部及び駆動回路の少なくとも一部の機能がプロセッサによって実現される場合のプロセッサを示す図
【図７】実施の形態１に係る空気調和機のインバータ制御装置が有する制御部及び駆動回路を構成する少なくとも一部が処理回路によって実現される場合の処理回路を示す図
【発明を実施するための形態】
【００１０】
以下に、本発明の実施の形態に係る空気調和機のインバータ制御装置及び空気調和機のインバータ制御システムを図面に基づいて詳細に説明する。なお、この実施の形態によりこの発明が限定されるものではない。
【００１１】
実施の形態１．
図１は、実施の形態１に係る空気調和機１の構成を示す図である。空気調和機１は、室内機２と、室外機３とを有する。室内機２は、室内ファン４と、室内ファン４の動作を制御する室内制御装置５とを有する。室外機３は、室外ファン６と、冷媒を圧縮する圧縮機７と、室外ファン６及び圧縮機７の動作を制御する室外制御装置８とを有する。
【００１２】
室内制御装置５は、室外制御装置８に接続されている。室外制御装置８は、室内ファン４の動作を制御するための信号を室内制御装置５に出力する機能を有している。室内制御装置５は、室外制御装置８から出力された当該信号をもとに室内ファン４の動作を制御する。室内制御装置５が室内ファン４の動作を制御することにより、室内機２が設置されている部屋の空気調和が行われる。
【００１３】
室外制御装置８は、圧縮機７を制御するための空気調和機のインバータ制御装置２０を有する。次に、空気調和機のインバータ制御装置２０の構成を説明する。図２は、実施の形態１に係る空気調和機のインバータ制御装置２０の構成を示す図である。以下では、「空気調和機のインバータ制御装置２０」を「インバータ制御装置２０」と記載する場合がある。
【００１４】
インバータ制御装置２０は、交流電源８１から供給された交流電流を直流電流に変換するコンバータ回路２１を有する。コンバータ回路２１は、ダイオードブリッジを含む整流回路２１ａと、整流回路２１ａから出力された直流電圧を平滑化する平滑化コンデンサ２１ｂと、放電用抵抗２１ｃとを有する。図２には、交流電源８１も示されている。
【００１５】
インバータ制御装置２０は、コンバータ回路２１によって得られた直流電流を交流電流に変換するインバータ回路２２を更に有する。インバータ回路２２は、トランジスタとダイオードとが並列に接続された複数個の回路が三相ブリッジを構成する回路である。インバータ回路２２は、変換によって得られた交流電流を、圧縮機７を駆動させる圧縮機モータ８２に供給する。図２には、圧縮機モータ８２も示されている。圧縮機モータ８２は、圧縮機７に含まれている。
【００１６】
インバータ制御装置２０は、インバータ回路２２によって得られた交流電流の電流値を低下させるトランス２３を更に有する。具体的には、トランス２３は、インバータ回路２２によって得られた交流電流の電流値をあらかじめ設定された割合で低下させる。インバータ制御装置２０は、トランス２３によって得られた交流電流を交流電圧に変換する電圧抵抗変換回路２４を更に有する。
【００１７】
電圧抵抗変換回路２４は、抵抗値が可変である可変抵抗を含む。電圧抵抗変換回路２４は、例えばフォトレジスタと内部抵抗とを有する。フォトレジスタは、供給される電流の値が相対的に大きいと、抵抗値が相対的に小さくなる電子部品である。フォトレジスタは、電圧抵抗変換回路２４に含まれる可変抵抗の例である。
【００１８】
インバータ制御装置２０は、電圧抵抗変換回路２４によって得られた交流電圧の電圧値が設定電圧値より大きい場合に指令信号を出力するコンパレータ２５を更に有する。設定電圧値は、あらかじめ設定された電圧値である。インバータ制御装置２０は、コンパレータ２５が出力する指令信号を受け取る機能を有する制御部２６を更に有する。制御部２６は、電圧抵抗変換回路２４に含まれる可変抵抗の抵抗値を決定するための制御信号を電圧抵抗変換回路２４に出力する。
【００１９】
例えば、制御部２６が電圧抵抗変換回路２４の内部抵抗を介してフォトレジスタに接続されており、制御部２６から出力される電圧の値を電圧抵抗変換回路２４の内部抵抗の値で割った値を有する電流が電圧抵抗変換回路２４のフォトレジスタに供給される。制御部２６が電圧抵抗変換回路２４に出力する電圧の値が変わると、電圧抵抗変換回路２４に含まれるフォトレジスタの抵抗値が変わる。
【００２０】
制御部２６が電圧抵抗変換回路２４に出力する電圧は、制御部２６が電圧抵抗変換回路２４に出力する制御信号の例である。いずれにしても、電圧抵抗変換回路２４に含まれる可変抵抗の抵抗値は、制御部２６が電圧抵抗変換回路２４に出力した制御信号によって決定される。電圧抵抗変換回路２４は、制御信号によって決定された抵抗値をもとにトランス２３によって得られた交流電流を交流電圧に変換する。
【００２１】
インバータ制御装置２０は、インバータ回路２２の動作を停止させるための停止信号を受け取った場合にインバータ回路２２の動作を停止させる駆動回路２７を更に有する。制御部２６は、コンパレータ２５が出力した指令信号を受け取った場合に停止信号を駆動回路２７に出力する。
【００２２】
インバータ制御装置２０は、あらかじめ決められた電圧の電源２８と、一方の端部が電源２８に接続されている第１分圧用抵抗２９と、一方の端部が第１分圧用抵抗２９に接続されていて他方の端部が接地されている第２分圧用抵抗３０とを有する。電源２８、第１分圧用抵抗２９及び第２分圧用抵抗３０は、分圧回路を構成する。分圧回路は、コンパレータ２５に電圧を供給する。分圧回路がコンパレータ２５に供給する電圧の電圧値が、設定電圧値である。
【００２３】
次に、空気調和機のインバータ制御装置２０の動作の一例を説明する。制御部２６は、電圧抵抗変換回路２４に含まれる可変抵抗の抵抗値を決定するための制御信号を電圧抵抗変換回路２４に出力する。電圧抵抗変換回路２４に含まれる可変抵抗の抵抗値は、制御部２６が電圧抵抗変換回路２４に出力した制御信号によって決定される。
【００２４】
コンバータ回路２１は、交流電源８１から供給された交流電流を直流電流に変換してインバータ回路２２に供給する。インバータ回路２２は、コンバータ回路２１によって得られた直流電流を三相交流電流に変換し、変換によって得られた三相交流電流を、圧縮機７を駆動させる圧縮機モータ８２に供給する。圧縮機モータ８２は、インバータ回路２２から供給された三相交流電流をもとに圧縮機７を駆動する。
【００２５】
トランス２３は、インバータ回路２２によって得られた三相交流電流のうちの少なくとも一相の交流電流の電流値を低下させる。電圧抵抗変換回路２４は、オームの法則にしたがって、トランス２３によって電流値が下げられた交流電流を交流電圧に変換する。電圧抵抗変換回路２４によって得られた交流電圧は、コンパレータ２５の非反転入力側に供給される。コンパレータ２５の反転入力側には、電源２８の電圧が第１分圧用抵抗２９と第２分圧用抵抗３０とによって分圧された結果である電圧が供給される。コンパレータ２５の反転入力側に供給される電圧の値は、設定電圧値である。
【００２６】
コンパレータ２５は、電圧抵抗変換回路２４によって得られた交流電圧の電圧値が設定電圧値より大きい場合に指令信号を制御部２６に出力する。つまり、コンパレータ２５は、圧縮機モータ８２に供給される電流の値があらかじめ設定された値より大きい場合に指令信号を制御部２６に出力する。制御部２６は、コンパレータ２５が出力した指令信号を受け取った場合、停止信号を駆動回路２７に出力する。
【００２７】
駆動回路２７は、停止信号を受け取った場合、インバータ回路２２の動作を停止させる。インバータ回路２２の動作が停止すると、圧縮機モータ８２の動作は停止する。そのため、インバータ制御装置２０は、圧縮機モータ８２にあらかじめ設定された値より大きい交流電流が流れることを防止することができ、ひいては圧縮機モータ８２が故障することを防止することができる。更に言うと、インバータ制御装置２０は、空気調和機１が故障することを防止することができる。
【００２８】
上述の通り、インバータ制御装置２０は、抵抗値が可変である可変抵抗を含む電圧抵抗変換回路２４と、当該可変抵抗の抵抗値を決定するための制御信号を電圧抵抗変換回路２４に出力する制御部２６とを有する。電圧抵抗変換回路２４は、複数の抵抗を有さない。インバータ制御装置２０の製造者が圧縮機７の種類に対応する制御信号を電圧抵抗変換回路２４に出力させる設定を制御部２６に行っておけば、インバータ制御装置２０は、圧縮機７の種類に対応する電流電圧変換を実現することができる。すなわち、インバータ制御装置２０は、複数の抵抗を必要とすることなく、圧縮機７の種類に対応する電流電圧変換を実現することができる。
【００２９】
なお、上述した実施の形態１では、トランス２３は、インバータ回路２２によって得られた三相交流電流のうちの少なくとも一相の交流電流の電流値を低下させる。トランス２３は、当該三相交流電流のうちの二相又は三相の交流電流の電流値を低下させてもよい。
【００３０】
実施の形態２．
図３は、実施の形態２に係る空気調和機のインバータ制御システム４０の構成を示す図である。以下では、「空気調和機のインバータ制御システム４０」を「インバータ制御システム４０」と記載する場合がある。図３では、「空気調和機のインバータ制御システム４０」は、「インバータ制御システム４０」と記載されている。インバータ制御システム４０は、例えば、室外機が有する室外制御装置の内部に設けられる。インバータ制御システム４０は、空気調和機のインバータ制御装置２０Ａと、上位制御装置５０とを有する。以下では、「空気調和機のインバータ制御装置２０Ａ」を「インバータ制御装置２０Ａ」と記載する場合がある。
【００３１】
インバータ制御装置２０Ａは、実施の形態１に係るインバータ制御装置２０が有するすべての構成要素を有すると共に、駆動回路２７がインバータ回路２２の動作を停止させた場合にインバータ回路２２の動作が停止したことを報知する報知部３１を有する。報知部３１の例は、表示装置である。報知部３１が表示装置である場合、報知部３１は、インバータ回路２２の動作が停止したことを示す情報を表示する。
【００３２】
報知部３１の別の例は、発光ダイオードである。報知部３１が発光ダイオードである場合、例えば、報知部３１は、点滅して、インバータ回路２２の動作が停止したことを示す情報を報知する。報知部３１の更に別の例は、スピーカである。報知部３１がスピーカである場合、報知部３１は、インバータ回路２２の動作が停止したことを示す情報を、音を用いて報知する。
【００３３】
上述の通り、インバータ制御装置２０Ａは実施の形態１に係るインバータ制御装置２０が有するすべての構成要素を有するが、図３には、説明を簡単に行うために、当該すべての構成要素のうちのインバータ回路２２、電圧抵抗変換回路２４、制御部２６及び駆動回路２７のみが示されている。
【００３４】
上位制御装置５０は、インバータ制御装置２０Ａが有する電圧抵抗変換回路２４に含まれる可変抵抗の抵抗値を決定するための制御情報を空気調和機のインバータ制御装置２０Ａに出力する装置である。制御情報の例は、空気調和機の機種を示す情報である。上位制御装置５０は、ユーザが空気調和機の機種を特定するための特定情報を上位制御装置５０に入力するための入力部５１を有する。特定情報は、ユーザが電圧抵抗変換回路２４の可変抵抗を決定するための情報である。ユーザの例は、空気調和機の製造者である。入力部５１の例は、ディップスイッチである。
【００３５】
上位制御装置５０は、入力部５１が用いられて入力された特定情報を受け付ける受付部５２を更に有する。上位制御装置５０は、複数の空気調和機の機種を示す情報を記憶するメモリ５３を更に有する。メモリ５３の例は、半導体メモリである。上位制御装置５０は、受付部５２が受け付けた特定情報をもとに、インバータ制御装置２０Ａが有する電圧抵抗変換回路２４に含まれる可変抵抗の抵抗値を決定するための制御情報を、インバータ制御装置２０Ａが有する制御部２６に出力する出力部５４を更に有する。更に言うと、出力部５４は、メモリ５３が記憶している情報をもとに、制御情報を制御部２６に出力する。実施の形態２では、出力部５４は、入力部５１が用いられて入力された空気調和機の機種を特定するための制御情報を制御部２６に出力する。
【００３６】
実施の形態２の制御部２６は、複数の空気調和機の機種を示す情報と、複数の制御値を示す情報とを記憶している。つまり、実施の形態２の制御部２６は記憶部を有している。記憶部の例は、半導体メモリである。制御値の例は、電圧値である。複数の空気調和機の機種の各々は、複数の制御値のいずれかひとつに対応している。制御部２６は、出力部５４が出力した制御情報を受け取り、制御情報に対応する制御信号を電圧抵抗変換回路２４に出力する。具体的には、制御部２６は、記憶している情報をもとに、制御情報に対応付けられている制御値を含む制御信号を電圧抵抗変換回路２４に出力する。
【００３７】
制御値の例が電圧値であるので、制御値を含む制御信号の例は、制御情報に対応付けられている電圧値の電圧である。電圧抵抗変換回路２４に含まれる可変抵抗の抵抗値は、出力部５４が制御部２６に出力した制御情報に対応付けられた制御値に対応付けられている。更に言うと、当該可変抵抗の抵抗値は、ユーザが入力部５１を用いて上位制御装置５０に入力した特定情報に対応付けられている。
【００３８】
図４は、実施の形態２に係る空気調和機のインバータ制御システム４０の動作の手順の一例を示すフローチャートである。製造者は、入力部５１を用いて、インバータ制御装置２０Ａが有する電圧抵抗変換回路２４に含まれる可変抵抗の抵抗値を決定するための電圧値を特定する特定情報を上位制御装置５０に入力する。次に、製造者は、空気調和機のインバータ制御システム４０を有する空気調和機を運転させる。
【００３９】
受付部５２は、上位制御装置５０に入力された特定情報を受け付ける（Ｓ１）。特定情報は、空気調和機の機種を特定するための情報である。出力部５４は、メモリ５３が記憶している情報をもとに、受付部５２が受け付けた特定情報に対応する空気調和機の機種を特定する制御情報をインバータ制御装置２０Ａが有する制御部２６に出力する（Ｓ２）。つまり、ステップＳ２において、上位制御装置５０は、受付部５２が受け付けた特定情報に対応する空気調和機の機種を特定する制御情報をインバータ制御装置２０Ａに出力する。制御情報は、インバータ制御装置２０Ａが有する電圧抵抗変換回路２４に含まれる可変抵抗の抵抗値を決定するための情報である。
【００４０】
制御部２６は、複数の空気調和機の機種を示す情報と、複数の電圧値を示す情報とを記憶している。複数の空気調和機の機種の各々は、複数の電圧値のいずれかひとつに対応している。制御部２６は、出力部５４が出力した制御情報を受け取り、記憶している情報をもとに、制御情報に対応付けられている電圧値の電圧を電圧抵抗変換回路２４に出力する（Ｓ３）。制御部２６が電圧抵抗変換回路２４に出力した電圧は、製造者が入力部５１を用いて上位制御装置５０に入力した特定情報に対応する電圧である。つまり、制御部２６が電圧抵抗変換回路２４に出力した電圧は、製造者が入力部５１を用いて上位制御装置５０に入力した空気調和機の機種を特定するための特定情報に対応する電圧である。
【００４１】
電圧抵抗変換回路２４は、制御部２６から出力された電圧に対応する抵抗値を決定する（Ｓ４）。具体的には、ステップＳ４において、電圧抵抗変換回路２４は、制御部２６からの入力電圧に対応する抵抗値を決定する。図５は、実施の形態２に係る空気調和機のインバータ制御システム４０における電圧抵抗変換回路２４が有する可変抵抗の抵抗値の決定方法を説明するための図である。
【００４２】
図５は、制御部２６から電圧抵抗変換回路２４への入力電圧が１Ｖである場合、電圧抵抗変換回路２４の可変抵抗が１００Ωであることを示している。図５は、当該入力電圧が２Ｖである場合、当該可変抵抗が２００Ωであることを示している。図５は、当該入力電圧が３Ｖである場合、当該可変抵抗が３００Ωであることを示している。
【００４３】
電圧抵抗変換回路２４は、例えば図５が示す情報をもとに、可変抵抗の抵抗値を決定する。このように、電圧抵抗変換回路２４は、制御部２６から出力された電圧に対応する抵抗値を決定する。電圧抵抗変換回路２４は、決定した抵抗値をもとに、トランス２３によって得られた交流電流を交流電圧に変換する（Ｓ５）。
【００４４】
コンパレータ２５は、電圧抵抗変換回路２４によって得られた交流電圧の電圧値が設定電圧値以下であるか否かを判断する（Ｓ６）。言い換えると、コンパレータ２５は、電圧抵抗変換回路２４によって得られた変換後の交流電圧の電圧値が設定電圧値以下であるか否かを判断する（Ｓ６）。変換後の交流電圧の電圧値が設定電圧値以下であるとコンパレータ２５によって判断された場合（Ｓ６でＹｅｓ）、インバータ制御システム４０における判断は終了する。
【００４５】
コンパレータ２５は、変換後の交流電圧の電圧値が設定電圧値より大きいと判断した場合（Ｓ６でＮｏ）、指令信号を制御部２６に出力する。制御部２６は、指令信号を受け取り、停止信号を駆動回路２７に出力する。駆動回路２７は、インバータ回路２２の動作を停止させる（Ｓ７）。つまり、インバータ回路２２の動作が停止する（Ｓ７）。報知部３１は、インバータ回路２２の動作が停止したことを示す情報を報知する（Ｓ７）。図４のステップＳ７では、「インバータ回路２２の動作が停止したことを示す情報を報知する」ということは、「異常を報知する」という文言で表現されている。
【００４６】
上述の通り、製造者は、インバータ制御装置２０Ａが有する電圧抵抗変換回路２４に含まれる可変抵抗の抵抗値を決定するための特定情報をインバータ制御システム４０に入力する。電圧抵抗変換回路２４に含まれる可変抵抗の抵抗値は、インバータ制御システム４０に入力された特定情報に対応付けられた値である。しがたって、インバータ制御システム４０は、当該可変抵抗の抵抗値を製造者に設定させることができる。
【００４７】
電圧抵抗変換回路２４によって得られた変換後の交流電圧の電圧値が設定電圧値より大きいとコンパレータ２５によって判断された場合、駆動回路２７はインバータ回路２２の動作を停止させ、報知部３１は、インバータ回路２２の動作が停止したことを示す情報を報知する。これにより、製造者は、入力部５１を用いて上位制御装置５０に入力した特定情報が適切でないことを知ることができる。すなわち、インバータ制御システム４０は、上位制御装置５０に入力した特定情報が適切でないことを製造者に知らせることができる。
【００４８】
インバータ回路２２の動作が停止したことを示す情報が報知部３１によって報知されると、製造者は、適切な特定情報を上位制御装置５０に入力し直すことができる。その結果、製造者は、適切な空気調和機を市場に提供することができる。
【００４９】
なお、ユーザは、製造者に限定されない。また、インバータ制御システム４０が有する上位制御装置５０は、室外制御装置の内部以外の場所に設けられてもよい。更に言うと、上位制御装置５０は、室外機の内部でも室内機の内部でもない場所に設けられてもよい。
【００５０】
図６は、実施の形態１に係る空気調和機のインバータ制御装置２０が有する制御部２６及び駆動回路２７の少なくとも一部の機能がプロセッサ６１によって実現される場合のプロセッサ６１を示す図である。つまり、制御部２６及び駆動回路２７の少なくとも一部の機能は、メモリ６２に格納されるプログラムを実行するプロセッサ６１によって実現されてもよい。プロセッサ６１は、マイクロコンピュータ、ＣＰＵ（Central  Processing  Unit）、処理装置、演算装置、マイクロプロセッサ、又はＤＳＰ（Digital  Signal  Processor）である。図６には、メモリ６２も示されている。
【００５１】
制御部２６及び駆動回路２７の少なくとも一部の機能がプロセッサ６１によって実現される場合、当該一部の機能は、プロセッサ６１と、ソフトウェア、ファームウェア、又は、ソフトウェア及びファームウェアとの組み合わせにより実現される。ソフトウェア又はファームウェアはプログラムとして記述され、メモリ６２に格納される。プロセッサ６１は、メモリ６２に記憶されたプログラムを読み出して実行することにより、制御部２６及び駆動回路２７の少なくとも一部の機能を実現する。
【００５２】
すなわち、制御部２６及び駆動回路２７の少なくとも一部の機能がプロセッサ６１によって実現される場合、インバータ制御装置２０は、制御部２６及び駆動回路２７の少なくとも一部によって実行されるステップが結果的に実行されることになるプログラムを格納するためのメモリ６２を有する。メモリ６２に格納されるプログラムは、制御部２６及び駆動回路２７の少なくとも一部が実行する手順又は方法をコンピュータに実行させるものであるともいえる。
【００５３】
メモリ６２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００５４】
図７は、実施の形態１に係る空気調和機のインバータ制御装置２０が有する制御部２６及び駆動回路２７を構成する少なくとも一部が処理回路７１によって実現される場合の処理回路７１を示す図である。つまり、制御部２６及び駆動回路２７の少なくとも一部は、処理回路７１によって実現されてもよい。
【００５５】
処理回路７１は、専用のハードウェアである。処理回路７１は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。制御部２６及び駆動回路２７の一部は、残部とは別個の専用のハードウェアであってもよい。
【００５６】
実施の形態２に係る空気調和機のインバータ制御装置２０Ａにおける制御部２６が有する複数の機能の一部は、プロセッサ６１と同じ機能を有するプロセッサによって実現されてもよい。実施の形態２の制御部２６が有する複数の機能の一部がプロセッサによって実現される場合、インバータ制御装置２０Ａは、当該一部の機能に対応するステップが結果的に実行されることになるプログラムを格納するためのメモリを有する。当該メモリは、メモリ６２と同じ機能を有するメモリである。実施の形態２に係る空気調和機のインバータ制御システム４０が有する制御部２６を構成する少なくとも一部の構成要素は、処理回路７１と同じ機能を有する処理回路によって実現されてもよい。
【００５７】
実施の形態２に係るインバータ制御システム４０の上位制御装置５０における受付部５２及び出力部５４が有する複数の機能の一部は、プロセッサ６１と同じ機能を有するプロセッサによって実現されてもよい。受付部５２及び出力部５４が有する複数の機能の一部がプロセッサによって実現される場合、上位制御装置５０は、当該一部の機能に対応するステップが結果的に実行されることになるプログラムを格納するためのメモリを有する。当該メモリは、メモリ６２と同じ機能を有するメモリである。
【００５８】
実施の形態２に係るインバータ制御システム４０の上位制御装置５０が有する受付部５２及び出力部５４を構成する少なくとも一部の構成要素は、処理回路７１と同じ機能を有する処理回路によって実現されてもよい。
【００５９】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００６０】
１  空気調和機、２  室内機、３  室外機、４  室内ファン、５  室内制御装置、６  室外ファン、７  圧縮機、８  室外制御装置、２０，２０Ａ  空気調和機のインバータ制御装置、２１  コンバータ回路、２１ａ  整流回路、２１ｂ  平滑化コンデンサ、２１ｃ  放電用抵抗、２２  インバータ回路、２３  トランス、２４  電圧抵抗変換回路、２５  コンパレータ、２６  制御部、２７  駆動回路、２８  電源、２９  第１分圧用抵抗、３０  第２分圧用抵抗、３１  報知部、４０  空気調和機のインバータ制御システム、５０  上位制御装置、５１  入力部、５２  受付部、５３  メモリ、５４  出力部、６１  プロセッサ、６２  メモリ、７１  処理回路、８１  交流電源、８２  圧縮機モータ。
【図１】
2019167159.tif 000003
【図２】
2019167159.tif 000004
【図３】
2019167159.tif 000005
【図４】
2019167159.tif 000006
【図５】
2019167159.tif 000007
【図６】
2019167159.tif 000008
【図７】
2019167159.tif 000009
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
コンバータ回路によって得られた直流電流を交流電流に変換すると共に、変換によって得られた交流電流を、圧縮機を駆動させる圧縮機モータに供給するインバータ回路と、
前記インバータ回路によって得られた交流電流の電流値を低下させるトランスと、
可変抵抗を含むと共に前記トランスによって得られた交流電流を交流電圧に変換する電圧抵抗変換回路と、
前記電圧抵抗変換回路によって得られた交流電圧の電圧値が設定電圧値より大きい場合に指令信号を出力するコンパレータと、
前記コンパレータが出力する前記指令信号を受け取る機能を有する制御部とを備え、
前記制御部は、前記電圧抵抗変換回路に含まれる前記可変抵抗の抵抗値を決定するための制御信号を前記電圧抵抗変換回路に出力し、
前記電圧抵抗変換回路に含まれる前記可変抵抗の抵抗値は、前記制御部が前記電圧抵抗変換回路に出力した前記制御信号によって決定され、
前記電圧抵抗変換回路は、前記制御信号によって決定された抵抗値をもとに前記トランスによって得られた交流電流を交流電圧に変換し、
前記制御部は、前記コンパレータが出力した前記指令信号を受け取った場合に前記インバータ回路の動作を停止させる
空気調和機のインバータ制御装置。
【請求項２】
前記制御部と前記インバータ回路とに接続された駆動回路を更に備え、
前記制御部は、前記コンパレータが出力した前記指令信号を受け取った場合に前記インバータ回路の動作を停止させるための停止信号を前記駆動回路に出力し、
前記駆動回路は、前記制御部から出力された前記停止信号を受け取った場合に前記インバータ回路の動作を停止させる
請求項１に記載の空気調和機のインバータ制御装置。
【請求項３】
請求項１に記載の空気調和機のインバータ制御装置と、
前記電圧抵抗変換回路に含まれる前記可変抵抗の抵抗値を決定するための制御情報を前記空気調和機のインバータ制御装置に出力する上位制御装置とを備え、
前記上位制御装置は、
ユーザが前記可変抵抗の抵抗値を決定するための特定情報を前記上位制御装置に入力するための入力部と、
前記入力部が用いられて入力された前記特定情報をもとに前記可変抵抗の抵抗値を決定するための前記制御情報を前記制御部に出力する出力部とを有し、
前記制御部は、前記出力部が出力した前記制御情報に対応する前記制御信号を前記電圧抵抗変換回路に出力する
空気調和機のインバータ制御システム。
【手続補正２】
【補正対象書類名】明細書
【補正対象項目名】０００７
【補正方法】変更
【補正の内容】
【０００７】
上述した課題を解決し、目的を達成するために、本発明に係る空気調和機のインバータ制御装置は、コンバータ回路によって得られた直流電流を交流電流に変換すると共に、変換によって得られた交流電流を、圧縮機を駆動させる圧縮機モータに供給するインバータ回路と、前記インバータ回路によって得られた交流電流の電流値を低下させるトランスと、可変抵抗を含むと共に前記トランスによって得られた交流電流を交流電圧に変換する電圧抵抗変換回路とを有する。本発明に係る空気調和機のインバータ制御装置は、前記電圧抵抗変換回路によって得られた交流電圧の電圧値が設定電圧値より大きい場合に指令信号を出力するコンパレータと、前記コンパレータが出力する前記指令信号を受け取る機能を有する制御部とを更に有する。前記制御部は、前記電圧抵抗変換回路に含まれる前記可変抵抗の抵抗値を決定するための制御信号を前記電圧抵抗変換回路に出力する。前記電圧抵抗変換回路に含まれる前記可変抵抗の抵抗値は、前記制御部が前記電圧抵抗変換回路に出力した前記制御信号によって決定される。前記電圧抵抗変換回路は、前記制御信号によって決定された抵抗値をもとに前記トランスによって得られた交流電流を交流電圧に変換する。前記制御部は、前記コンパレータが出力した前記指令信号を受け取った場合に前記インバータ回路の動作を停止させる。
【国際調査報告】
2019167159.tif 000010
2019167159.tif 000011